(57)【要約】【課題】本発明は、洗浄液が入ったコンタクトレンズ収納ケース内の洗浄液の液と泡の作用で、両眼のコンタクトレンズを洗浄する装置を提供する。【解決手段】  図１から、回転体１やモータ２が納まるサイズのケース５内に、タイマー１４と連動したモータ２を回転軸６が水平になるようにケース内に取り付け、モータ２の先端に回転軸６を介して回転体１を取り付ける。回転体１は円筒状の形で、その底面内側にコンタクトレンズ収納ケース４を取り付けるフック３を取り付け、そこにコンタクトレンズ収納ケース４を固定する。そして、回転体１を垂直方向に回転することでコンタクトレンズケース内の洗浄液で発生する液流と泡の力により両眼のコンタクトレンズの洗浄を行う。回転体１の回転は就寝中にゆっくりと洗浄を行う通常モードと、短時間に洗浄を終わらせるスイングモードを設定する。【選択図】図１
2019219635.tif 000002
【特許請求の範囲】
【請求項１】
コンタクトレンズ保存ケース内の容量に対し、２分の１〜３分の２の洗浄液が入ったコンタクトレンズ収納ケ−スを回転体のフックで支持し、垂直方向に回転する回転体に取り付ける。回転体を回転することで、コンタクトレンズ収納ケ−ス内で発生する液流と泡でコンタトレンズを洗浄するコンタクトレンズ洗浄器。
【請求項２】
コンタクトレンズを洗浄するモ−ドとして、回転体を一方方向にゆっくりと回転して洗浄する通常モ−ドとコンタクトレンズ収納ケ−スを一旦１２時の位置で止め、そこを中心として右に１８０度回転した後すぐに反転して左に１８０度回転、そこからまた反転し右に１８０度回転、コンタクトレンズ収納ケ−スを正転・逆転を１８０度間隔で繰り返し、タイマーと連動し回転速度を変え洗浄するスイングモ−ドを有することを特徴とする請求項１に記載のコンタクトレンズ洗浄器。
【請求項３】
回転体の回転数は、毎分１０回転から５０回転で可変する構造となっており、洗浄モードによりタイマーと回転数を設定することで洗浄時間をコントロールすることを特徴とする請求項２に記載のコンタクトレンズ洗浄器。
【発明の詳細な説明】
【技術分野】
【０００１】  本発明は、コンタクト・レンズ・ケース内に入った洗浄液でコンタクトレンズを泡の気泡と液体流動作用によりコンタクトレンズの洗浄を行う装置に関するものである。
【背景技術】
【０００２】  コンタクトレンズの洗浄は、まず石けんで綺麗に手を洗い手についた油脂分を取り除き洗浄液をレンズに付け、手のひらと指先を使いレンズをこすり洗いをする。その後、水道水でレンズに付着した洗浄液を洗い流すのだが、その時レンズを紛失するリスクも高い。そのために洗浄には気を遣いけっこう時間がかかり、特に冬場の朝のレンズ装着作業でのこすり洗いは水も冷たく、できれば避けたい行程の一つである。また、頻繁にレンズのこすり洗いをすることでコンタクトレンズに傷がつき、レンズの劣化にもつながっていた。
【先行技術文献】
【特許文献】
【０００３】
【特許文献１】特開  平１−１８８１６号公報
【発明の概要】
【発明が解決しようとする課題】
【０００４】  本発明した装置で、この煩わしい人の手によるレンズのこすり洗いから解放され洗浄作業の能力アップが出来る。【０００５】  コンタクトレンズ保存ケース内で洗浄が終了するので、コンタクトレンズ保存ケースからレンズを取り出しレンズを水洗いした後、すぐにレンズを装着できるのでレンズ装着時間を短縮することが出来る。【０００６】  コンタクトレンズの洗浄を泡と洗浄液で行うため、極力コンタクトレンズに手で触れないでレンズの装着が出来るため、レンズに傷が付いたりレンズ紛失のリスクを低下することが出来、コンタクトレンズの劣化防止を可能とする。【０００７】  市販されているコンタクトレンズの殆どが洗浄できる。また洗浄をコンタクトレンズ収納ケース内で行うので、回転体のフックを替えることで市販されている既存の携帯用レンズケースを使うことが出来る。【０００８】  洗浄モードはゆっくりと就寝中に洗浄する通常モードと、洗浄時間を短縮するために洗浄終了時間をタイマーで時間設定をし、それに合わせて回転速度を調整するスイングモードを撰ぶことが出来る。
【課題を解決しようとするための手段】
【０００９】  コンタクトレンズが入っているコンタクトレンズ保存ケースを垂直方向に回転する回転体にフックで固定、回転板を回転することでコンタクトレンズ保存ケース内の洗浄液がケース内を流動しその際発生する洗浄液の泡の気泡と液体流動作用により、コンタクトレンズ保存ケース内で洗浄が行われる。また洗浄モードには２つのモードがあり、回転体が同方向に回転する通常モードではゆっくりと就寝中にコンタクトレンズに付着した汚れを除去・洗浄する。また回転体が正転・逆転するスイングモードにすることで、コンタクトレンズ保存ケース内の液流が通常モードよりも激しく動き、タイマーを設定し回転体の速度を調整することで短時間の洗浄が可能となる。上記より２種類のモードを撰ぶことができる。
【発明の効果】
【００１０】  本発明により、日常で使う手によるコンタクトレンズの洗浄がなくなることで、煩わしい毎日のレンズのこすり洗いが不要となり、レンズ装着時間を短縮できる。
【００１１】  コンタクトレンズを指でこすり洗いしないので、レンズに傷がつくリスクも低下、レンズの劣化防止と流水によるレンズの紛失リスクも低くなる。
【００１２】  コンタクトレンズ保存ケース内の液流と泡で洗浄するため、市販されているコンタクトレンズの殆どが洗浄できる。コンタクトレンズ保存ケースに合わせ、回転体のフックを替えることで市販されている既存のコンタクトレンズを使用することが出来る。
【００１３】  コンタクトレンズ収納ケース内の液は毎日替え、その液は一晩で捨てていた。しかし本発明はコンタクトレンズ収納ケース内で洗浄を行うので、寝る前にコンタクトレンズをそのままコンタクトレンズ収納ケース内に収納し、就寝中にレンズが洗浄できるので、朝起きたときにはコンタクトレンズ収納ケースから取り出したコンタクトレンズの洗浄液を水で落としそのままレンズを装着出来る。また、レンズケースに入れる洗浄液（コンタクトレンズ収納ケース内容量の２分の１から３分の２ほど）が通常保存状態よりも少なくてすむため、洗浄液が長持ちする。
【図面の簡単な説明】
【００１４】
【図１】  本発明の本体斜視図
【図２】  正面図
【図３】  側断面図
【図４】  ソフトコンタクトレンズ専用の収納ケース図
【発明を実施するための形態】
【００１５】  回転体やモータが納まるサイズのケース内に、タイマーと連動した可変できるモータを回転軸が水平になるようにケース内に取り付け、モータの先端に回転軸を介して回転体を取り付ける。回転体は円筒状の形で、その底面内側にコンタクトレンズケースを取り付けるフックを取り付け、そこにコンタクトレンズケースを固定する。
そして、回転体を回転することでコンタクトレンズケース内の洗浄液で発生する泡の力と液流によりコンタクトレンズを洗浄する。
【実施例】
【００１６】  この洗浄器の構造は、図３のケース５の内側面に垂直に取り付けたモータ２の先端に回転軸６を取り付け、回転体１の底面外側の中心面に対して垂直になるように回転軸６を連結する構造になっている。【００１７】  図３の回転体１の形状は筒状になっており、筒状の底面内側にコンタクトレンズ収納ケース４を取り付けるためにフック３を取り付け、そこに垂直に立つようにコンタクトレンズ収納ケース４を取り付けている。【００１８】  コンタクトレンズの収納は、まず写真２の左側レンズ取り付けホルダー７に左側のコンタクトレンズを取り付け、筒状のレンズケース８に左側レンズ取り付けホルダー７をねじ込む。そして、右側レンズ取り付けホルダー９に右側レンズを取り付け、筒状のレンズケース８の反対側に、右側のレンズ取り付けホルダー９をねじ込み写真１のコンタクトレンズ収納ケース４として納まった事で左右間違わないように色別で、両端にコンタクトレンズが収納されている。【００１９】  写真１のコンタクトレンズ収納ケース４のケース内に洗浄液をケース内の容量に対し、２分の１から３分の２ほど洗浄液を入れケース内に一定の空間を作る。そこに泡の空間が出来、液流と泡による洗浄が促進される所がポイントとなる。【００２０】  写真３は、コンタクトレンズ収納ケース４を垂直になるように、写真３の回転体１のフック３にコンタクトレンズ収納ケース４を取り付けた状態を示した写真である。コンタクトレンズ収納ケース４内に空間が３分の１ほど観察される。【００２１】  図２のケース５の正面に取り付けてあるスイッチ１２をＯＮの位置にし、回転体１を回転させる。回転数は、適時回転数スピードツマミ１１を回転させ調整をする。調整は、洗浄時間で長いほど回転を遅くする。回転数は、１分間に１０〜５０回転でゆっくり回転することで就寝中に洗浄を終わらせてしまう。【００２２】  その洗浄の様子を写真４ａ〜４ｅで説明する。
回転体を同方向に回転して洗浄する、通常モードについて説明する。写真４ａでは、左側レンズ取り付けホルダー７の位置（約１時方向）では、比重が重い液体が下側に、軽い泡が上側に分離しているのが観測できる。つまり、左側レンズ取り付けホルダー７に取り付けた左レンズは泡の中、右側レンズ取り付けホルダー９の右レンズは液の中にあることになる。【００２３】  回転を続け写真４ｂの位置（約４時方向）に左側レンズ取り付けホルダー７が来ると、泡が活きよいよく右側レンズ取り付けホルダー９に向かって移動する姿がわかる。比重の軽い上側の泡わと、比重の重い液流が左側レンズ取り付けホルダー７から右側レンズ取り付けホルダー９へと活きよいよく流れ左右のレンズの洗浄を行う。【００２４】  写真４ｃに左側レンズ取り付けホルダー７の位置（約６時方向）に来ると、写真４ａの反対となり右レンズがある右側レンズ取り付けホルダー９は泡の中に、左側レンズ取り付けホルダー７の右レンズは反対に液体中にある。つまり、ここでも左右のレンズは泡及び液流で洗われている。【００２５】  回転を続け写真４ｄの位置（約９時）に左側レンズ取り付けホルダー７が来ると、泡が右側レンズ取り付けホルダー９から左側レンズ取り付けホルダー７へと流れ始める様子が観察される。【００２６】  写真４ｅでは、左側レンズ取り付けホルダー７の位置（約１０時方向）に来ると、泡が活きよいよく左側レンズ取り付けホルダー７に向かって移動する姿がわかる。液流が右側レンズ取り付けホルダー９から左側レンズ取り付けホルダー７へと活きよいよく流れ、左右のレンズの洗浄を行う。つまり、回転中に洗浄作用が常に行われている。【００２７】回転体を、正転・逆転して洗浄するスイングモードについて説明する。スイングモードでは、回転速度を早くすることで洗浄時間が短縮できるために、まずタイマーを設定し、それにより回転速度を設定する。洗浄はまず写真４ａの位置から回転が始まり、写真４ｂ―＞４ｃと正回転した後回転板を逆回転させ、４ｂ―＞４ａに戻る。そこから回転板を写真４ｂ―＞４ｃまで正回転、そこからまた、回転板を逆回転させ４ｂ―＞４ａに戻る。この動作を繰り返す事で、液流と泡が活発にケース内を流動し、写真１の４のケース内でコンタクトレンズの洗浄作用が促進されるので、通常モードよりも短時間で洗浄が完了する。
【産業上の利用可能性】
【００２８】本考案は構造も単純で部品点数も少ないので、製作にはコストを低くでき製品化も現実的だと思っている。基本的には、回転板にコンタクトレンズケースを取り付けそれを回転させる構造であるために、デザインの自由度も広くアイデア次第では楽しい製品が出来ると思っている。
【符号の説明】１、回転体
２、モ−タ
３、フック
４、コンタクトレンズ収納ケ−ス
５、本体ケ−ス
６、回転軸
７、左側コンタクトレンズ取り付けホルダ−
８、筒状のレンズケ−ス
９、右側コンタクトレンズ取り付けホルダ−＋
１０、コンタクトレンズ収納ケ−スの泡
１１、回転スピ−ドツマミ
１２、スイッチ
１３，回転モード切り換えスイッチ
１４、タイマー設定ツマミ
【図１】
2019219635.tif 000003
【図２】
2019219635.tif 000004
【図３】
2019219635.tif 000005
【手続補正書】
【提出日】平成30年10月1日(2018.10.1)
【手続補正１】
【補正対象書類名】明細書
【補正対象項目名】００１４
【補正方法】変更
【補正の内容】
【００１４】図１      本発明の本体斜視図
図２      正面図
図３      側断面図